(57)【要約】【課題】撮像した撮像データを記憶媒体に記憶させて容易に撮像データを確認するために、埋め込み用ユニットからカメラ本体を取り外すことなく、撮像データを記憶する記憶媒体を容易に着脱できる監視カメラ装置を得る。【解決手段】所定の撮像領域を撮像するレンズユニットの撮像した撮像データを制御する制御部を有するカメラ本体を天井又は壁に埋め込んだ状態で、制御部の制御により撮像データを記憶媒体に記憶する記憶部の着脱口から記憶媒体が着脱可能となる位置に記憶部を配置する。【選択図】図１
2013197902.tif 000002
【特許請求の範囲】
【請求項１】
所定の撮像領域を撮像するレンズユニットと、
前記レンズユニットの撮像した撮像データを制御する制御部を有し天井又は壁に埋め込んで取り付けされるカメラ本体と、
記憶媒体を着脱する着脱口を有し前記制御部の制御により前記撮像データを前記記憶媒体に記憶する記憶部とを備え、
前記カメラ本体を前記天井又は前記壁に埋め込んだ状態で前記着脱口から前記記憶媒体が着脱可能となる位置に前記記憶部を配置したことを特徴とする監視カメラ装置。
【請求項２】
前記カメラ本体を前記天井又は前記壁に取り付ける取付具と、
前記取付具及び前記記憶部を覆い隠す取付カバーとをさらに備え、
前記取付カバーに設けられた開口部又は切り欠き部並びに前記記憶部の前記着脱口を通じて前記記憶媒体が着脱可能となることを特徴とする請求項１記載の監視カメラ装置。
【請求項３】
前記制御部は、
通常時は通信回線を介して前記撮像データを外部に出力し、前記通信回線に障害が発生した場合には、前記記憶部の前記記憶媒体に前記撮像データを記憶させることを特徴とする請求項１又は２記載の監視カメラ装置。
【請求項４】
所定の撮像領域を撮像するレンズユニットと、
前記レンズユニットの撮像した撮像データを制御する制御部を有し天井又は壁に埋め込んで取り付けされるカメラ本体と、
音声を入力する音声マイクとを備え、
前記天井又は前記壁に対し前記撮像領域側に前記音声マイクを配置したことを特徴とする監視カメラ装置。
【請求項５】
前記カメラ本体を前記天井又は前記壁に取り付ける取付具と、
前記取付具及び前記音声マイクを覆い隠す取付カバーとをさらに備え、
前記取付カバーに設けられた開口部又は切り欠き部を通じて前記音声マイクに音声が入力されることを特徴とする請求項４記載の監視カメラ装置。
【請求項６】
前記カメラ本体を覆う筐体と前記レンズユニットを保護するレンズユニットカバーとをさらに備え、
前記筐体及び前記レンズユニットカバーの外部に前記音声マイクを配置したことを特徴とする請求項４又は５記載の監視カメラ装置。
【発明の詳細な説明】
【技術分野】
【０００１】
この発明は、天井又は壁面に埋め込み設置される監視カメラ装置に関するものである。
【背景技術】
【０００２】
従来の監視カメラ装置として、水平及び垂直方向のそれぞれにレンズユニットを回動させることにより撮像方向が変更可能となる駆動部を有し、埋め込み用ユニットを用いて天井又は壁面に埋め込み設置されるものがある（例えば、特許文献１参照）。このような監視カメラの多くは、カメラ本体等が天井又は壁面に埋め込まれた状態では、レンズユニットを保護するクリアドーム及び埋め込み用ユニットを覆う意匠パネルのみが外部に露出している。
【先行技術文献】
【特許文献】
【０００３】
【特許文献１】特許第４２７３４９８号公報（第３頁、図１及び４）
【発明の概要】
【発明が解決しようとする課題】
【０００４】
従来の監視カメラ装置において、撮像した撮像データを記憶媒体に記憶させて容易に撮像データを確認したいというユーザの要求を満たすために、記憶媒体を着脱可能な記憶装置をカメラ本体に設けると、記憶媒体を着脱する必要が生じる度に、埋め込み用ユニットを覆う意匠パネルを取り外し、埋め込み用ユニットからカメラ本体を取り外す作業が生じ、非常に利便性が悪いという問題点があった。
【０００５】
また、従来の監視カメラ装置において、画像や映像だけではなく撮像領域の音声も入力したいというユーザの要求を満たすために、音声マイクをカメラ本体に設けると、音声マイクから入力した音声データが、天井裏や壁面裏に伝わる建屋の空調設備等の騒音の影響を受けてしまい、撮像領域の音声を効率よく入力することができないという問題点があった。
【０００６】
この発明は、上記のような問題点を解消するためになされたもので、撮像データを記憶する記憶媒体を容易に着脱できる監視カメラ装置を得ることを第一の目的とする。また、撮像領域の音声を効率よく入力できる監視カメラ装置を得ることを第二の目的とする。
【課題を解決するための手段】
【０００７】
本発明に係る監視カメラ装置は、所定の撮像領域を撮像するレンズユニットと、前記レンズユニットの撮像した撮像データを制御する制御部を有し天井又は壁に埋め込んで取り付けされるカメラ本体と、記憶媒体を着脱する着脱口を有し前記制御部の制御により前記撮像データを前記記憶媒体に記憶する記憶部とを備え、前記カメラ本体を前記天井又は前記壁に埋め込んだ状態で前記着脱口から前記記憶媒体が着脱可能となる位置に前記記憶部を配置したものである。
また、本発明に係る監視カメラ装置は、所定の撮像領域を撮像するレンズユニットと、前記レンズユニットの撮像した撮像データを制御する制御部を有し天井又は壁に埋め込んで取り付けされるカメラ本体と、音声を入力する音声マイクとを備え、前記天井又は前記壁に対し前記撮像領域側に前記音声マイクを配置したものである。
【発明の効果】
【０００８】
この発明は、監視カメラ装置のカメラ本体を天井又は壁面に埋め込んだ状態で着脱口から記憶媒体が着脱可能となる位置に記憶部を配置したので、監視カメラ装置から記憶媒体を容易に着脱できるという効果がある。また、天井又は壁面に対し撮像領域側に前記音声マイクを配置したので、撮像領域の音声を効率よく入力できるという効果がある。
【図面の簡単な説明】
【０００９】
【図１】本発明に係る監視カメラ装置の一部を断面で示した正面図である。
【図２】本発明の実施の形態１に係る監視カメラ装置を天井に埋め込み設置する設置形態を示す図である。
【図３】本発明の実施の形態２に係る監視カメラ装置を天井に埋め込み設置する設置形態を示す図である。
【発明を実施するための形態】
【００１０】
実施の形態１．
図１は、本発明における監視カメラ装置の一部を断面で示した正面図である。図１において、監視カメラ装置は、所定の撮像領域を撮像するレンズユニット１、レンズユニット１を垂直方向に回転させる垂直回転駆動部２、レンズユニット１を水平方向に回転させる水平回転駆動部３、レンズユニット１で撮像した撮像データを制御する制御部４、制御部４と垂直回転駆動部２と水平回転駆動部３とで形成されたカメラ本体を覆う外装筐体５（筐体）、外装筐体５を天井又は壁面に設置するための取付金具６、制御部４に設けられ外部との電力及び信号伝送に用いられる接続端子７、及び外装筐体５に取り付けられレンズユニット１を保護する略半球状のクリアドーム８（レンズユニットカバー）から構成されている。
水平回転駆動部３は、制御部４からの制御信号に基づき駆動されるステッピングモータ９ａの駆動力を、ギア１０ａにより回動軸に伝達して、レンズユニット１を水平方向に回動させ、垂直回転駆動部２は、制御部４からの制御信号に基づき駆動されるステッピングモータ９ｂの駆動力を、ギア１０ｂにより回動軸に伝達して、レンズユニット１を垂直方向に回動させる。これにより、レンズユニット１を、任意の撮像方向に向けることが可能となる。
【００１１】
図２は、本発明の実施の形態１における監視カメラ装置を天井１８に埋め込み設置する埋め込み設置形態を示した図である。図２において、カメラ本体を覆っている外装筐体５は、取付金具６により埋め込み用ユニット１１（取付具）に取り付けられている。
埋め込み用ユニット１１は、円筒状の埋め込み金具１３及び埋め込み金具１３の下部に設けられたフランジ１２から構成される。
【００１２】
記憶装置２１（記憶部）は、記憶媒体２３が着脱する着脱口２２を有し、天井１８に対して撮像領域側のフランジ１２に設けられ、ケーブル電線（図示せず）を介して、制御部４に設けられた接続端子７と電気的に接続される。記憶装置２１は、制御部４からの制御信号に基づき、装着された記憶媒体２３とデータを入出力することが可能である。
【００１３】
埋め込み用ユニット１１及び記憶装置２１は、クリアドーム８の周囲に円盤状に形成される意匠パネル１４（取付カバー）により覆い隠されている。意匠パネル１４には切り欠き部１５が設けられており、記憶媒体２３は、意匠パネル１４に設けられた切り欠き部１５及び記憶装置２１に設けられた着脱口２２を通じて、記憶装置２１に着脱可能となる。
なお、意匠パネル１４に、切り欠き部１５ではなく、開口部（図示せず）を設けて、開口部及び着脱口２２を介して、記憶媒体２３を着脱するようにしてもよい。
【００１４】
監視カメラ装置を、天井１８に埋め込み設置するには、例えば、記憶装置２１と接続端子７とを、ケーブル電線を用いて接続した後に、カメラ本体を覆っている外装筐体５を、埋め込み用ユニット１１の下部から挿入し、取付金具６と埋め込みユニット１１とを、ネジ等により固定する。そして、埋め込み用ユニット１１を、天井１８の取り付け穴１９に下から挿入し、埋め込み用ユニット１１のフランジ１２を、天井１８の下面に当接させ、埋め込み用ユニット１１のフランジ１２と天井１８の下面とを、ネジ等により固定する。記憶装置２１は、埋め込み用ユニット１１のフランジ１２に、ネジ等により固定する。埋め込み用ユニット１１は、上述したネジの締結による固定に加え、落下防止用アンカーボルト２０等による安全対策を施し、専門の設置作業者による安全性確認が実施される。このようにしてカメラ本体等を天井１８に埋め込んで取り付けた後、意匠パネル１４に設けられた切り欠き部１５及び記憶装置２１に設けられた着脱口２２が連通するように意匠パネル１４を埋め込み用ユニット１１のフランジ１２に嵌合させることで、監視カメラ装置の天井１８への埋め込み設置が完了となる。設置完了後は、クリアドーム８及び意匠パネル１４のみが、外部に露出する。
【００１５】
また、制御部４は、接続端子７を介して通信回線（図示せず）に接続されており、通常時は、通信回線を介して、レンズユニット１で撮像した撮像データを外部に出力する。通信回線に障害が発生した場合は、記憶装置２１に撮像データを出力し、記憶媒体２３に撮像データを記憶させるよう記憶装置２１を制御する。これにより、通信回線に障害が発生した場合においても、記憶媒体２３に撮像データを記録することができる。
【００１６】
このように、本実施の形態１では、意匠パネル１４に設けた切り欠き部１５及び記憶装置２１に設けた着脱口２２が連通するように、記憶装置２１を配置したので、天井１８に埋め込み設置された監視カメラ装置に搭載された記憶装置２１から容易に記憶媒体２３を着脱できるという効果がある。
【００１７】
なお、本実施の形態１では、記憶装置２１を埋め込み用ユニット１１のフランジ１２に固定するようにしたが、記憶装置２１は、カメラ本体等を天井１８に埋め込んだ状態で着脱口２２から記憶媒体２３が着脱可能となる位置に配置されていればよく、例えば、意匠パネル１４に固定するようにしても、同様の効果を得ることが可能である。この監視カメラ装置を天井１８に埋め込み設置する場合、カメラ本体等を天井１８に埋め込み設置するまでは、記憶装置２１を埋め込み用ユニット１１のフランジ１２に固定する場合と同様であるが、その後は、意匠パネル１４に設けられた切り欠き部１５及び記憶装置２１に設けられた着脱口２２が連通するように、記憶装置２１を意匠パネル１４にネジ等により固定し、意匠パネル１４を埋め込み用ユニット１１のフランジ１２に嵌合させることで、監視カメラ装置の天井１８への埋め込み設置が完了となる。設置完了後は、クリアドーム８及び意匠パネル１４のみが、外部に露出する。
【００１８】
また、本実施の形態１では、記憶装置２１を、着脱口２２が撮像領域を向くように外装筐体５に固定し、意匠パネル１４の内周に切り欠き部１５を設けても、同様の効果を得ることが可能である。この監視カメラ装置を天井１８に埋め込み設置する場合、例えば、記憶装置２１と、接続端子７とを、ケーブル電線を用いて接続して、記憶装置２１を外装筐体５にネジ等により固定した後に、カメラ本体を覆っている外装筐体５を、埋め込み用ユニット１１の下部から挿入し、取付金具６と埋め込みユニット１１とを、ネジ等により固定する。埋め込み用ユニット１１の、天井１８の取り付け穴１９への固定は、記憶装置２１を埋め込み用ユニット１１のフランジ１２に固定するようにした場合と同様である。このようにしてカメラ本体等を天井１８に埋め込み設置した後、意匠パネル１４に設けられた切り欠き部１５及び記憶装置２１に設けられた着脱口２２が連通するように、意匠パネル１４を埋め込み用ユニット１１のフランジ１２に嵌合させることで、監視カメラ装置の天井１８への埋め込み設置が完了となる。設置完了後は、クリアドーム８及び意匠パネル１４のみが、外部に露出する。
【００１９】
さらに、本実施の形態１では、通信回線に障害が発生した場合に、制御部４は、記憶装置２１に装着された記憶媒体２３に撮像データを出力するようにしたが、制御部４が、所定の撮像時間分の撮像データを保持し、記憶装置２１に装着された記憶媒体２３に、保持している撮像データをコピーするようにしてもよい。この場合、制御部４は、記憶媒体２３に、保持している撮像データを所定の周期でコピーするようにしてもよいし、遠隔操作や通信回線を介して制御部４に指示することにより、記憶媒体２３に、保持している撮像データをコピーするようにしてもよい。
あるいは、監視カメラ装置の周辺に外部から操作可能なスイッチ（図示せず）を設け、当該スイッチの操作により、制御部４が、記憶装置２１に装着された記憶媒体２３に、撮像データをコピーするようにしてもよい。この場合、通信回線を介することなく、監視カメラ装置から、撮像データを直接取り出すことができるという効果がある。
【００２０】
さらにまた、本実施の形態１では、監視カメラ装置は、天井１８に埋め込み設置されるようにしたが、壁面に埋め込み設置されるようにしてもよい。
【００２１】
実施の形態２．
図３は、本発明の実施の形態２に係る監視カメラ装置を天井１８に埋め込み設置する設置形態を示した図である。図２と同じ符号のものは同様の機能を有するので、説明を繰り返さない。図３において、音声マイク２４は、音声を集音する集音口２５を有し、集音口２５が天井１８に対して撮像領域側に位置するように、意匠パネル１４のマイク固定用リブ１６に嵌合固定され、ケーブル電線（図示せず）を介して、制御部４に設けられた接続端子７と電気的に接続される。
【００２２】
埋め込み用ユニット１１及び音声マイク２４は、意匠パネル１４により覆い隠されている。意匠パネル１４には、音声マイク２４の固定される位置に開口部１７が設けられており、音声マイク２４は、レンズユニット１の撮像と同時に、意匠パネル１４に設けられた開口部１７及び音声マイク２４に設けられた集音口２５を介して、撮像領域の音声を入力する。
【００２３】
このように、本実施の形態２では、音声マイク２４の集音口２５を天井１８に対して、撮像領域側に配置したので、監視カメラ装置は、天井１８内を伝わる空調機器などの騒音の影響を受けることなく、撮像領域の音声を入力することが可能になるという効果がある。また、音声マイク２４の集音口２５を外装筐体５及びクリアドーム８の外部に設けたので、垂直回転駆動部２又は水平回転駆動部３の駆動音の影響を受けることなく、撮像領域の音声を入力することが可能になる。
【００２４】
なお、本実施の形態２では、音声マイク２４を、意匠パネル１４に固定するようにしたが、天井１８に対して撮像領域側のフランジ１２に固定するようにしても、同様の効果を得ることが可能である。
【００２５】
また、本実施の形態２では、音声マイク２４を、集音口２５が撮像領域側を向くように外装筐体５に固定し、意匠パネル１４の内周に切り欠き部を設けても、同様の効果を得ることが可能である。
【００２６】
さらに、本実施の形態２では、音声マイク２４は、集音口２５を有するものとしたが、集音口２５を有しなくてもよい。この場合は、音声マイク２４を、天井１８に対して撮像領域側に配置する必要がある。
【００２７】
さらにまた、本実施の形態２では、監視カメラ装置は、天井１８に埋め込み設置されるようにしたが、壁面に埋め込み設置されるようにしてもよい。
【符号の説明】
【００２８】
１    レンズユニット
２    垂直回転駆動部
３    水平回転駆動部
４    制御部
５    外装筐体
６    取付金具
７    接続端子
８    クリアドーム
９ａ、９ｂ    ステッピングモータ
１０ａ、１０ｂ    ギア
１１    埋め込み用ユニット
１２    フランジ
１３    埋め込み金具
１４    意匠パネル
１５、１７    切り欠き部
１６    マイク固定用リブ
１８    天井
１９    取り付け穴
２０    落下防止用アンカーボルト
２１    記憶装置
２２    着脱口
２３    記憶媒体
２４    音声マイク
２５    集音口
【図１】
2013197902.tif 000003
【図２】
2013197902.tif 000004
【図３】
2013197902.tif 000005